(57)【要約】      （修正有）【課題】容易かつ迅速な方法で操作できるターンバックルの提供。【解決手段】ターンバックルの締結部を挟み込む挟み込み部１０と、挟み込み部１０の一端部から延びた、電動ドライバーと接続する接続部２０とを有し、挟み込み部１０が２枚の板状部１５ａ、１５ｂが対向することで形成されている。【選択図】図１
0003221796.tif 000002
【実用新案登録請求の範囲】
【請求項１】
ターンバックルの締結部を挟み込む挟み込み部と、
前記挟み込み部の一端部から延びた、電動ドライバーと接続する接続部とを有し、
前記挟み込み部が２枚の板状部が対向することで形成されていることを特徴とするターンバックルの操作用の工具。
【請求項２】
前記挟み込み部の開口部の内表面に、前記挟み込み部の中心軸と直交する断面が前記中心軸を中心とする円弧状である凹部と、
前記挟み込み部内に、前記開口部と連通しており前記中心軸と直交する断面が角丸長方形状である穴との少なくともいずれか一方が形成されていることを特徴とする請求項１に記載のターンバックルの操作用の工具。
【考案の詳細な説明】
【技術分野】
【０００１】
本考案は、ターンバックルの操作用の工具に関する。
【背景技術】
【０００２】
ターンバックルは、建設現場や作業機械等においてワイヤー等の張力を調整するために使用される（特許文献１参照）。ターンバックルは、矩形の枠部と、枠部の一端に接続した締結部と、枠部の他端に接続した締結部とを備えている。両締結部は枠部とネジ構造によって接続されている。締結部におけるネジ構造とは反対側の他端部は、フック等の形状となっている。両締結部のフック等の形状部分をそれぞれワイヤー及びチェーン等に掛けて、締結部に対してターンバックルの枠部を相対的に回転させることで、敷設されたワイヤー等の張力を調整できる。
【先行技術文献】
【特許文献】
【０００３】
【特許文献１】特開２０１８−３９５７８号公報
【考案の概要】
【考案が解決しようとする課題】
【０００４】
ところで、雨や湿気た外気等にさらされたターンバックルは、錆び付いてしまうことが多い。これにより、ターンバックルの枠部と締結部の接続箇所が固着してしまい、互いを回転させることでワイヤー等の張力を調節することが難しくなる。ターンバックルが錆び付いた後でワイヤー及びチェーン等の張力を再度調整する場合、従来、ターンバックルの枠部と締結部の接続箇所に潤滑油をさし、回転しやすくなるようにした後、作業員が手作業でターンバックルを操作して張力を調節している。しかし、かかる方法によると、作業の迅速さが求められる建設現場等では時間が掛かり過ぎるし、人手も掛かってしまう。したがって、錆び付いたターンバックルをより容易かつ迅速な方法で操作する方法が求められている。
【０００５】
本考案の目的は、錆び付き等によって操作が困難になったターンバックルを、容易かつ迅速な方法で操作できるターンバックルの操作用の工具を提供することにある。
【課題を解決するための手段】
【０００６】
本考案のターンバックルの操作用の工具は、ターンバックルの締結部を挟み込む挟み込み部と、前記挟み込み部の一端部から延びた、電動ドライバーと接続する接続部とを有し、前記挟み込み部が２枚の板状部が対向することで形成されている。本考案の工具によると、挟み込み部にターンバックルの締結部を挟み込み、電動ドライバーを右又は左に回転させることで、ターンバックルの締結部を容易且つ迅速に回転させることができる。
【０００７】
また、本考案においては、前記挟み込み部の開口部の内表面に、前記挟み込み部の中心軸と直交する断面が前記中心軸を中心とする円弧状である凹部と、前記挟み込み部内に、前記開口部と連通しており前記中心軸と直交する断面が角丸長方形状である穴との少なくともいずれか一方が形成されていることが好ましい。これによると、フォームタイ（登録商標）の操作にも本工具を使用することができる。
【図面の簡単な説明】
【０００８】
【図１】本考案の一実施形態に係るターンバックルの操作用の工具の斜視図である。
【図２】図１の工具における縦方向と直交する断面の図である。
【図３】図１の工具の使用図である。
【考案を実施するための形態】
【０００９】
以下、本考案の一実施形態に係るターンバックルの操作用の工具１（以下、工具１とする。）について図１〜図３を参照しつつ説明する。本実施形態に係る工具１は、図１に示すように、後述するターンバックル５の締結部５０を挟み込む挟み込み部１０と、後述する電動ドライバー１００に接続する接続部２０を備えている。挟み込み部１０と接続部２０は、直線状に固定されており、金属で形成されている。なお、以下において、図１に示すように、工具１の長尺方向を長さ方向、長さ方向と直交する一方向を縦方向、長さ方向及び縦方向の両方向と直交する方向を横方向という。
【００１０】
挟み込み部１０は円柱状の構造をした台部１１と、台部１１の一端から膨らみつつ延びた本体部１２を備えている。本体部１２は四角筒型の概略形状を有している。四角筒の一対の側壁は横方向に沿っており、縦方向に関して対向している。また、四角筒の他の一対の側壁は縦方向に沿っており、横方向に関して対向している。これら２対の側壁は、互いに対向する方向に関して外側に向かって凸状に湾曲していると共に、横方向に沿った側壁の幅が縦方向に沿った側壁の幅より小さい。本体部１２は、台部１１と反対側の他端が開口している。これによって、開口部１６が形成されている。開口部１６から半分ほどの長さにおいて、横方向に沿った一対の側壁が内側に向かって部分的に切除されている。この切除された部分は切り欠き部１７ａ及び１７ｂを構成している。切り欠き部１７ａ及び１７ｂは、いずれも長さ方向に沿って延びている。本体部１２における開口部１６から半分ほどの長さの部分は、横方向に関して互いに対向した板状部１５ａ及び１５ｂに分離されている。板状部１５ａ及び１５ｂの内面１８ａ及び１８ｂは、互いに横方向に関して対向しており、それぞれほぼ平面に沿っている。また、内面１８ａ及び１８ｂは、互いに平行である。内面１８ａ及び１８ｂは、後述するターンバックル５のフック部５１を互いの間に挟み込む。このようにして、工具１は挟み込み部１０にフック部５１を挟み込む。以下、内面１８ａ及び１８ｂを、把持面１８ａ及び１８ｂという。
【００１１】
挟み込み部１０内には、図１及び図２に示すように、本体部１２の開口部１６の内表面に凹部１９ａ及び１９ｂが形成されている。凹部１９ａは把持面１８ａに、凹部１９ｂは把持面１８ｂにそれぞれ形成された凹部である。凹部１９ａ及び１９ｂは、中心軸Ｃに関して互いに対称な形状を有するように、且つ、中心軸Ｃと直交する断面が中心軸Ｃを中心とした円弧状となるように形成されている。また、挟み込み部１０内には、図２に示すように、後述のフォームタイが挿入される挿入穴１３が形成されている。挿入穴１３は開口部１６と連通している。挿入穴１３は、開口部１６側と反対方向に関して把持面１８ａ及び１８ｂよりも奥へと延びている。挿入穴１３は、中心軸Ｃと直交する断面が角丸長方形状（小判型状）となるように形成されている。
【００１２】
接続部２０は六角柱状であり、台部１１における本体部１２側の端部とは反対側の端部に固定されている。接続部２０は、縦方向及び横方向の両方に関して上記端部の中心の位置から長さ方向に沿って延びている。接続部２０は、後述する電動ドライバー１００の回転部１１０に取り外し可能に挿入される。
【００１３】
ターンバックル５には、従来公知のものが使用される。ターンバックル５は、２本の締結部５０と、枠部６０を有しており、金属で形成されている。図３に示すように、各締結部５０は棒状である。その一端部はフック状のフック部５１であり、残りの部分は雄ネジが形成されたネジ部５２である。フック部５１の幅は、縦方向に関する板状部１５ａ及び１５ｂの幅より大きい。フック部５１の厚みは、板状部１５ａと板状部１５ｂの間隔より小さい。枠部６０は、細長いリング状であり、その長尺方向の各端部には、雌ネジが形成された開口部６１を有している。開口部６１にネジ部５２が回転されつつ挿入されることで、枠部６０と締結部５０が接続されている。この状態で、さらに締結部５０を回転させていくことで、締結部５０における枠部６０から突出した部分の長さを調整できる。なお、一方の締結部５０のネジ部５２は正ネジに形成され、他方の締結部５０のネジ部５２は逆ネジに形成されている。また、枠部６０の雌ネジもこれに応じて形成されている。
【００１４】
電動ドライバー１００には、従来公知のインパクトドライバーが使用される。電動ドライバー１００は、図３に示すように、回転部１１０と本体部１２０を有している。回転部１１０には、工具１の接続部２０を挿入可能な挿入穴が形成されている。本体部１２０は、図示されていない電源スイッチ、回転部１１０の回転スイッチ、及びその回転方向の切替スイッチを有している。本体部１２０の一端部に回転部１１０が固定されている。
【００１５】
次に、図３を参照しつつ、上述の実施形態に係る工具１の使用方法について説明する。電動ドライバー１００の回転部１１０に接続部２０を挿入することで、工具１を電動ドライバー１００に取り付ける。ターンバックル５の枠部６０に締結部５０が接続された状態で、締結部５０のフック部５１を、その厚み方向に挟み込み部１０の板状部１５ａ及び１５ｂの間に挿入する。そして、フック部５１を、縦方向に関して切り欠き部１７ａ及び１７ｂに貫通させて、横方向に関して対向する把持面１８ａと把持面１８ｂの間にしっかりと挟み込む。
【００１６】
次に、電動ドライバー１００の電源スイッチを入れ、切替スイッチ及び回転スイッチを操作して回転部１１０を一方向に回転させることで、回転部１１０に固定した工具１を一方向に回転させて、締結部５０を枠部６０内の奥へと挿入していくことができる。また、回転部１１０を他方向に回転させて工具１を上記と反対方向に回転させることで、締結部５０を枠部６０の外側へと突出させていくことができる。例えば、締結部５０と枠部６０が錆等で固着してしまった場合には、切替スイッチ及び回転スイッチを適宜操作することで、工具１を一方向及び他方向に交互に回転させ、締結部５０と枠部６０の固着を徐々に緩めていく。モルタルが、締結部５０と枠部６０の接続部位に固着してしまった場合にも同様の方法で、固着を徐々に緩めていくことができる。
【００１７】
なお、工具１の別の用途として、建築用の型枠に使用するフォームタイを締め付けたり緩めたりする際に使用することもできる。例えば、図２に示すフォームタイＳは、角柱状の先端部Ｓ１と、先端部Ｓ１より大きい径を有する円柱状のネジ部Ｓ２とを有している。このフォームタイＳに対し、工具１の挟み込み部１０を矢印Ａに示す方向に移動させることにより、挟持面１８ａと挟持面１８ｂの間に先端部Ｓ１を挟み込みつつ、凹部１９ａ及び１９ｂにネジ部Ｓ２を差し込む。このように工具１にフォームタイＳを支持させつつ電動ドライバー１００を動作させて、回転部１１０を回転させる。これによってフォームタイＳを回転させることで、例えば、型枠に固く締め付けられたフォームタイＳを緩めることが可能である。一方、フォームタイＳとは異なる、いわゆる小判型のフォームタイに対して工具１を使用することもできる。小判型のフォームタイは、横長の断面形状を有している。このフォームタイを挿入穴１３に挿入することで、工具１にフォームタイを支持させることが可能である。この状態で電動ドライバー１００を動作させて、回転部１１０を回転させることで、例えば、型枠に固く締め付けられたフォームタイを緩めることができる。
【００１８】
以上説明した本実施形態によると、図３に示すように、ターンバックル５の締結部５０を板状部１５ａ及び１５ｂの間に挿入し、工具１の挟み込み部１０に挟み込ませる。そして、フック部５１を、縦方向に関して切り欠き部１７ａ及び１７ｂに貫通させて、横方向に関して対向した把持面１８ａと把持面１８ｂにしっかりと挟み込ませる。その後、電動ドライバー１００の回転部１１０を一方向又は他方向に回転させることで、締結部５０を枠部６０に対して回転させることができる。締結部５０と枠部６０が錆等で固着してしまった場合には、工具１の回転スイッチ及び切替スイッチを適宜操作することで、回転部１１０を一方向及び他方向に交互に回転させ、締結部５０と枠部６０の固着を徐々に緩めることができる。モルタルが、締結部５０と枠部６０の接続部位に固着してしまった場合にも、同様の方法で固着を徐々に緩めていくことができる。これにより、従来手作業で行っていた締結部５０の固着を緩める作業を容易且つ迅速に行うことができる。
【００１９】
＜変形例＞
以上は、本考案の好適な実施形態についての説明であるが、本考案は上述の実施形態に限られるものではなく、課題を解決するための手段に記載された範囲の限りにおいて様々な変更が可能なものである。
【００２０】
例えば、上述の実施形態では、ターンバックル５の締結部５０の一端部は、フック型のフック部５１である。しかし、締結部５０の一端部はアイ型の形状でもよい。この場合も、把持面１８ａと把持面１８ｂにアイ型の部分を挟み込ませた状態で電動ドライバー１００を動作させることで、締結部５０を枠部６０に対して回転させることができる。
【００２１】
また、上述の実施形態では、挟み込み部１０の板状部１５ａ及び１５ｂは互いに対して変位しない。しかし、板状部１５aと板状部１５ｂとの間隔が変化するように板状部１５ａが板状部１５ｂに対して変位する構成を工具１が備えていてもよい。これによって、様々な厚みのフック部を有するターンバックルに、工具１を使用することができる。
【００２２】
また、上述の実施形態では、電動ドライバー１００にインパクトドライバーを用いている。しかし、ドリルドライバーでもよい。この場合、接続部２０の代わりに、ドリルドライバーの回転部に挿入可能な形状を有する接続部が工具１に設けられる。
【符号の説明】
【００２３】
１  工具
５  ターンバックル
１０  挟み込み部
１３  挿入穴
１５ａ、１５ｂ  板状部
１６  開口部
１９ａ、１９ｂ  凹部
２０  接続部
５０  締結部
６０  枠部
１００  電動ドライバー
Ｃ  中心軸
【図１】
0003221796.tif 000003
【図２】
0003221796.tif 000004
【図３】
0003221796.tif 000005